(57)【要約】【課題】さらなる売上増進が見込める自動販売機を提供する。【解決手段】金銭投入口６１，６２を有する一つの筐体１内にたばこ収納部２及び飲料収納部３が設けられ、任意の商品選択ボタン５が押された際、投入された金額の合計がその商品の価格以上であると判断された場合、送り出し手段７，８が動作して商品が商品取り出し口１０１，０２に送り出す。飲料収納部３は、飲料を所定の温度に冷却又は加熱する温度調節手段３４，３５を備え、たばこ収納部２と飲料収納部３との間には断熱部１００が設けられている。たばこＴが購入されてから所定時間内に飲料Ｄの商品選択ボタン５が押されたか、又は、飲料Ｄが購入されてから所定時間内にたばこＴの商品選択ボタン５が押されたかを判断手段が判断し、判断結果が真値である場合、更新手段が商品の価格を値引いて更新する。【選択図】  図２
2004227271.tif 000002
【特許請求の範囲】
【請求項１】
金銭投入口を有する一つの筐体と、この一つの筐体内に設けられたたばこ収納部及び飲料収納部と、一つの筐体の外面に設けられたたばこ見本表示部及び飲料見本表示部と、同じく一つの筐体の外面に設けられた複数の商品選択ボタンと、同じく一つの筐体の外面に設けられた商品取り出し口と、たばこ収納部から特定のたばこを商品取り出し口に送り出す送り出し手段と、飲料収納部から特定の飲料を商品取り出し口に送り出す送り出し手段と、金銭投入口から投入された金銭の正しい合計額を算出する金銭算出部と、任意の商品選択ボタンが押された際、その押された商品選択ボタンの商品の価格と金銭算出部で算出された合計額とを比較する比較手段と、比較手段により合計額が商品の価格以上であると判断された場合、前記送り出し手段を動作させて選択されたたばこ又は飲料を商品取り出し口に送り出させる制御信号を出力する信号出力部とを備えていることを特徴とする自動販売機。
【請求項２】
飲料収納部は、飲料を所定の温度に冷却又は加熱する温度調節手段を備えており、前記たばこ収納部と飲料収納部との間には断熱部が設けられていることを特徴とする請求項１記載の自動販売機。
【請求項３】
たばこが購入されてから所定時間内に飲料の商品選択ボタンが押されたか、又は、飲料が購入されてから所定時間内にたばこの商品選択ボタンが押されたかを判断する判断手段と、判断手段の判断結果が真値である場合、前記比較手段により比較される商品の価格を値引いて更新する更新手段を備えていることを特徴とする請求項１又は２記載の自動販売機。
【発明の詳細な説明】
【０００１】
【発明の属する技術分野】
本願の発明は、自動販売機に関するものである。
【０００２】
【従来の技術】
現在、各種の自動販売機が店頭や該当に設置され、利用者の便宜に供されている。これら自動販売機は、有人店舗以外の無人販売という販売チャンネルを提供することで、商品の売上増進に多大な貢献してきた。しかしながら、このような傾向も最近では限界に来ていて、新たな自動販売機の設置スペースを見つけるのが困難となってきている。
【０００３】
【発明が解決しようとする課題】
本願の発明は、このような課題を解決するためになされたものであり、さらなる売上増進が見込める自動販売機を提供する技術的意義を有するものである。
【０００４】
【課題を解決するための手段】
上記課題を解決するため、本願の請求項１記載の発明は、金銭投入口を有する一つの筐体と、この一つの筐体内に設けられたたばこ収納部及び飲料収納部と、一つの筐体の外面に設けられたたばこ見本表示部及び飲料見本表示部と、同じく一つの筐体の外面に設けられた複数の商品選択ボタンと、同じく一つの筐体の外面に設けられた商品取り出し口と、たばこ収納部から特定のたばこを商品取り出し口に送り出す送り出し手段と、飲料収納部から特定の飲料を商品取り出し口に送り出す送り出し手段と、金銭投入口から投入された金銭の正しい合計額を算出する金銭算出部と、任意の商品選択ボタンが押された際、その押された商品選択ボタンの商品の価格と金銭算出部で算出された合計額とを比較する比較手段と、比較手段により合計額が商品の価格以上であると判断された場合、前記送り出し手段を動作させて選択されたたばこ又は飲料を商品取り出し口に送り出させる制御信号を出力する信号出力部とを備えているという構成を有する。
また、上記課題を解決するため、請求項２記載の発明は、前記請求項１の構成において、飲料収納部は、飲料を所定の温度に冷却又は加熱する温度調節手段を備えており、前記たばこ収納部と飲料収納部との間には断熱部が設けられているという構成を有する。
また、上記課題を解決するため、請求項３記載の発明は、前記請求項１又は２の構成において、たばこが購入されてから所定時間内に飲料の商品選択ボタンが押されたか、又は、飲料が購入されてから所定時間内にたばこの商品選択ボタンが押されたかを判断する判断手段と、判断手段の判断結果が真値である場合、前記比較手段により比較される商品の価格を値引いて更新する更新手段を備えているという構成を有する。
【０００５】
【発明の実施の形態】
以下、本願発明の実施の形態（以下、実施形態）について説明する。
図１は、本実施形態の自動販売機の斜視概略図、図２は図１に示す自動販売機の内部を示す斜視概略図である。図１に示す自動販売機は、一つの筐体１と、この一つの筐体１内に設けられたたばこ収納部２及び飲料収納部３と、一つの筐体１の外面に設けられたたばこ見本表示部４１及び飲料見本表示部４２と、同じく一つの筐体１の外面に設けられた複数の商品選択ボタン５と、同じく一つの筐体１の外面に設けられた商品取り出し口１０１，１０２と、同じく一つの筐体１の外面に設けられた金銭投入口６１，６２と、たばこ収納部２から特定のたばこを商品取り出し口１０１に送り出すたばこ送り出し手段７と、飲料収納部３から特定の飲料を商品取り出し口１０２に送り出す飲料送り出し手段８と、任意の商品選択ボタン５が押された際に、前記二つの送り出し手段７，８のいずれかを動作させて選択されたたばこ又は飲料を商品取り出し口１０１，１０２に送り出させる制御部９（図１及び図２中不図示）とを備えている。
筐体１は、本体１１と、本体１１に蝶番を介して取り付けられた開閉扉１２とから主に構成されている。開閉扉１２が閉められた状態では、自動販売機は、図１に示すようにほぼ直方体状である。開閉扉１２が安定して開閉されるよう、折り畳みアーム１３を介して開閉扉１２は本体１１に保持されている。
【０００６】
図１に示すように、たばこ見本表示部４１及び飲料見本表示部４２は、開閉扉１２の前面に設けられている。たばこ見本表示部４１は、透明なパネルの内側に複数種のたばこ見本を取り付けた構造である。各たばこ見本の下側には、そのたばこを選択する商品選択ボタン５が設けられている。飲料見本表示部４２も同様であり、透明なパネルの内側に複数種の飲料見本が取り付けられ、その下にそれぞれ商品選択ボタン５が設けられている。
【０００７】
商品取り出し口１０１，１０２は、開閉扉１２上の下側位置に設けられている。本実施形態では、たばこが取り出される商品取り出し口１０１と飲料が取り出される商品取り出し口１０２がそれぞれ設けられている。但し、一つの商品取り出し口でたばこの取り出しと飲料の取り出しとが兼用される場合もある。商品取り出し口１０１，１０２には、それぞれ透明な開閉蓋が取り付けられている。
【０００８】
図３は、図１及び図２に示す自動販売機におけるたばこ収納部２と飲料収納部３の構造を示す平面概略図である。図３に示すように、たばこ収納部２は、収納枠２１と、収納枠２１内を複数の領域に仕切る仕切具２２とから主に構成されている。仕切具２２で仕切られた各領域内に、各種類のたばこＴが上下に積み重ねられて収納されるようになっている。
また、飲料収納部３も、収納枠３１と、収納枠３１内を複数の領域に仕切る仕切具３２とから主に構成されており、仕切具３２で仕切られた領域内に各種類の飲料Ｄが収納されるようになっている。尚、飲料Ｄは、横にされて上下に積み重ねられるようにして収納される。
たばこ収納部２と飲料収納部３との間には、断熱部１００が設けられている。断熱部１００は、グラスウールのような断熱材を設けることにより構成されるが、真空断熱のような構造が採用されることもある。
【０００９】
また、飲料収納部３は、二つの領域３０１，３０２に区画されている（以下、第一区画、第二区画）。二つの区画３０１，３０２は、それぞれ断熱材３３で覆われている。各区画３０１，３０２にはそれぞれ温度調節手段３４，３５が設けられている。温度調節手段３４，３５は、飲料収納部３内の飲料Ｄを所定温度に冷却するか所定温度に加熱するかする部材である。例えば、第一区画３０１に設けられた温度調節手段３４が冷却を行うもの、第二区画３０２に設けられた温度調節手段３５が加熱を行うものとされる。この例では、第一区画３０１に収納された飲料Ｄが所定温度に冷却されて収納され、第二区画３０２に収納された飲料Ｄが所定温度に加熱されて収納される。また、いずれかの（又は双方）の区画３０１，３０２に、冷却を行う温度調節手段と加熱を行う温度調節手段とが設けられる場合もある。この場合は、冬季には加熱を行う温度調節手段を作動させ、他の季節は冷却を行う温度調節手段を作動させる。冷却を行う温度調節手段３４は、通常の冷蔵庫と同様の構成が採用され、加熱を行う温度調節手段３５は抵抗発熱式のヒータ等を使用した構成が採用される。
【００１０】
図４及び図５を使用して、各送り出し手段の構成について説明する。図４は、たばこ送り出し手段７の構成を示した概略図、図５は飲料送り出し手段８の構成を示した概略図である。
まず、たばこ収納部２の収納枠２１は、図４に示すように、前板部２１１と後板部２１２とで構成されており、たばこＴを上下に多数重ね合わせ、前板部２１１と後板部２１２で挟んだ状態で収納するようになっている。たばこ送り出し手段７は、たばこＴを押し出すプッシャー７１と、プッシャー７１で押し出されるたばこをガイドするガイド板７２とから主に構成されている。ガイド板７２は、たばこ収納部２の下側に設けられている。ガイド板７２は、最下位置に位置したたばこを受ける水平部７２１と、水平部７２１から斜め下方に折れ曲がった傾斜部７２２とから成っている。傾斜部７２２の先には、不図示の別のガイド板が設けられており、このガイド板を経由して、図１に示す商品取り出し口１０１につながっている。
【００１１】
プッシャー７１は、当て板７１１と、当て板７１１を出力軸の先端に固定した直線駆動源７１２とから主に構成されている。図４に示すように、当て板７１１は、たばこ収納部２の最下位置に位置したたばこＴの後面に当てられる。直線駆動源７１２は、流体圧シリンダ（エアシリンダ等）又はソレノイド等であり、当て板７１１を所定のストロークで前後移動させるようになっている。また、たばこ収納部２は、前板部２１１の下端部分に柔軟部２１３を有している。柔軟部２１３は、例えばビニールシートである。
【００１２】
プッシャー７１が駆動すると、最下位置にあるたばこＴを当て板７１１が押し出す。このたばこＴは、ガイド板７２上を滑り、不図示の別のガイド板を経由して商品取り出し口１０１に達する。たばこ収納部２は、販売するたばこＴの種類毎に設けられており、たばこ送り出し手段７も販売するたばこＴの種類毎に設けられている。
【００１３】
また、図５に示すように、飲料収納部３の収納枠３１も、前板部３１１と後板部３１２とから成っており、横にして多数上下に重ね合わせた飲料Ｄを前板部３１１と後板部３１２で挟んで収納するようになっている。図５に示すように、前板部３１１と後板部３１２は、下端部分が前方斜め下方に向けて折れ曲がっており、その先端が送り出し端部となっている。
【００１４】
飲料送り出し手段８は、飲料収納部３の送り出し端部付近に設けられた受け板８１と、受け板８１を回転させる不図示の回転駆動源とから主に構成されている。また、受け板８１の前方には、前側と後ろ側とで一対となったガイド板８３が設けられている。ガイド板８３は、受け板８１から送り出される飲料を商品取り出し口１０２までガイドするものとなっている。
【００１５】
受け板８１は、半円筒状即ち円筒を長さ方向に沿って二つに割ったような形状である。受け板８１は、飲料収納部３の最下位置にある飲料Ｄを予め受け取って載せ、回転駆動源の駆動によりガイド板７２に向けて送り出すようになっている。より具体的に説明すると、受け板８１に飲料Ｄを載せる際には、回転駆動源は、図５に実線で示す状態から少し時計回りに受け板８１を回転させる。この結果、飲料収納部３の最下位置にある飲料Ｄが受け板８１の上に載る。回転駆動源は、逆向き（半時計回り）に同じ角度だけ受け板８１を回転させる。この結果、図５に実線で示す状態となる。次に、飲料Ｄを送り出す場合、回転駆動源は、受け板８１を４５度程度半時計回りに回転させ、図５に破線で示す状態とする。この結果、受け板８１上の飲料Ｄは、前方に転がり、一対のガイド板８３でガイドされて商品取り出し口１０２に達する。尚、飲料収納部３は、販売する飲料Ｄの種類毎に設けられており、飲料送り出し手段８も、販売する飲料Ｄの種類毎に設けられている。
【００１６】
尚、図１に示す金銭投入口６１，６２は、コイン投入口６１と紙幣投入口６２とから成っている。金銭投入口６１，６２から投入された金銭については、その真贋を判定する不図示の真贋判定部が設けられている。また、正しく投入された金銭の合計を算出する投入金銭算出部（図１中不図示）も設けられている。さらに、釣り銭を排出する釣り銭排出口６３が同じく一つの筐体１の外面に設けられている。また、釣り銭排出口６３に釣り銭を送り出す不図示の釣り銭送り出し機構が設けられている。
【００１７】
次に、制御部９の構成について図６を使用して説明する。図６は、図１乃至図５に示す実施形態の自動販売機において各部を制御する制御部９について示した図である。制御部９は、投入金銭算出部６０、各商品選択ボタン５等からの信号が入力される信号入力部９１、各たばこ送り出し手段７の直線駆動源７１２、各飲料送り出し手段８の回転駆動源８２、釣り銭送り出し機構６３０等に制御信号を出力する信号出力部９２、各商品の価格等を記憶した記憶部９３、演算処理部９４等を備えている。
【００１８】
演算処理部９４は、押された商品選択ボタンの商品の価格と金銭算出部で算出された合計額とを比較する比較手段を構成している。投入金銭算出部６０からは、正しく投入された金銭のデータが信号入力部９１に送られる。演算処理部９４は、特定の商品選択ボタン５が押された際、その商品の価格を記憶部９３から呼び出し、投入金額と比較して投入金額以下であるかどうかを判断する。投入金額以下であった場合、演算処理部９４は、その商品を送り出すよう該当する直線駆動源７１２又は回転駆動源８２に駆動信号を信号出力部９２を介して出力する。そして、演算処理部９４は釣り銭を算出し、釣り銭排出機構６３０にその金額の釣り銭を排出するよう信号出力部９２を介して制御信号を出力する。
【００１９】
この実施形態では、演算処理部９４は、たばこと飲料とを一つの自動販売機で販売するのに併せて特別の値引きを行うよう構成されている。演算処理部９４は、さらに、たばこが購入されてから所定時間内に飲料の商品選択ボタンが押されたか、又は、飲料が購入されてから所定時間内にたばこの商品選択ボタンが押されたかを判断する判断手段と、判断手段の判断結果が真値である場合、前記比較手段により比較される商品の価格を値引いて更新する更新手段とを構成している。この点について、図７を使用して説明する。図７は、演算処理部９４における演算処理について概略的に示したフローチャートである。
【００２０】
図７に示すように、まず、前回の商品の購入の時点でタイマーのカウントがスタートし、商品ジャンルＩＤに所定の値が入力される。例えば、たばこが購入された場合には１を、飲料が購入された場合には２が入力されて、この状態が維持される。次に、今回の商品購入において、投入金銭算出部６０からのデータが入力され、投入金額が確認される。この金額は前回購入の際の残金（釣り銭）の場合もある。
【００２１】
次に、商品選択ボタン５が押されたどうかを判断し、押された場合、演算処理部９４は、記憶部９３からその商品の価格と商品ジャンルＩＤを読み出す。そして、タイマーカウントが所定値以下であり、前回購入時の商品ジャンルＩＤと今回の商品ジャンルＩＤが異なるという条件が成立した場合、演算処理部９４は、値引き後の価格で商品価格を更新する。次に、商品価格≦投入金額を判断し、これが真値なら、該当する直線駆動源７１２又は回転駆動源８２に駆動信号を出力する。そして、釣り銭金額を算出を行い、釣り銭がある場合には、釣り銭の排出信号を釣り銭排出部に出力する。同時に、タイマーカウントをスタートさせ、商品ジャンルＩＤに値を入力する。偽値なら、所定時間のタイマーのカウントアップ後、残金払い出しを行う。
【００２２】
上記演算処理部９４における演算処理において、値引き後の価格は、例えば１割引程度とされる。例えば１２０円の飲料であれば１００円、２５０円のたばこであれば２２０円という具合である。
尚、上記構成では、演算処理部９４における演算処理がソフトウェアによって実現される（記憶部９３に記憶されたソフトウェアを実行することで実現される）場合もあるが、ハードウェアによって実現する（即ち、タイマー回路や論理素子の組み合わせによって実現する）場合もある。
【００２３】
上述した実施形態の自動販売機によれば、１台の機械でたばこと飲料の両方が販売できるので、狭いスペースにおいてもたばこと飲料の双方の無人販売が可能になる。このため、双方の商品のさらなる売上アップが期待できる。また、たばこの自動販売機と飲料の自動販売機とをそれぞれ設置する場合に比べて設備コストも安価になるので、販売コストも安くできる。
【００２４】
また、たばこ収納部２と飲料収納部３との間に断熱部１００が設けられているので、温度調節手段による温度調節の影響に伴ってたばこの風味が害されることがなくなる。例えば、飲料の加熱に伴ってたばこが長時間加熱されると、たばこの風味が消失したり変性したりする懸念があるが、本実施例では、このような懸念はない。
【００２５】
さらに、たばこと飲料を一緒に買う人に対して値引きが行われるので、たばこを買ったついでに飲料も買おうかとか、飲料を買ったついでにたばこも買おうかという気にさせる販売促進を行うことができる。このため、たばこや飲料のさらなる売上げアップが期待できる。
尚、「飲料」には、ジュース等の清涼飲料水、ビールや酒のようなアルコール飲料、栄養ドリンク等、各種のものを含む。
【００２６】
【発明の効果】
以上説明した通り、本願の請求項１記載の発明によれば、１台の機械でたばこと飲料の両方が販売できるので、狭いスペースにおいてもたばこと飲料の双方の無人販売が可能になる。このため、双方の商品のさらなる売上アップが期待できる。また、たばこの自動販売機と飲料の自動販売機とをそれぞれ設置する場合に比べて設備コストも安価になるので、販売コストも安くできる。
また、請求項２記載の発明によれば、上記効果に加え、たばこ収納部と飲料収納部との間に断熱部が設けられているので、温度調節手段による温度調節の影響に伴ってたばこの風味が害されることがなくなる。
また、請求項３記載の発明によれば、上記効果に加え、たばこと飲料を一緒に買う人に対して値引きが行われるので、たばこを買ったついでに飲料も買おうかとか、飲料を買ったついでにたばこも買おうかという気にさせる販売促進を行うことができる。このため、たばこや飲料のさらなる売上げアップが期待できる。
【図面の簡単な説明】
【図１】本実施形態の自動販売機の斜視概略図である。
【図２】図１に示す自動販売機の内部を示す斜視概略図である。
【図３】図１及び図２に示す自動販売機におけるたばこ収納部２と飲料収納部３の構造を示す平面概略図である。
【図４】図４は、たばこ送り出し手段７の構成を示した概略図である。
【図５】飲料送り出し手段８の構成を示した概略図である。
【図６】図１乃至図５に示す実施形態の自動販売機において各部を制御する制御部９について示した図である。
【図７】演算処理部９４における演算処理について概略的に示したフローチャートである。
【符号の説明】
１  筐体
１００  断熱部
１０１  商品取り出し口
１０２  商品取り出し口
１１  本体
１２  開閉扉
２  たばこ収納部
３  飲料収納部
３４  温度調節手段
３５  温度調節手段
４１  たばこ見本表示部
４２  飲料見本表示部
５  商品選択ボタン
６１  金銭投入口
６２  金銭投入口
７  たばこ送り出し手段
８  飲料送り出し手段
９  制御部
Ｔ  たばこ
Ｄ  飲料
【図１】
2004227271.tif 000003
【図２】
2004227271.tif 000004
【図３】
2004227271.tif 000005
【図４】
2004227271.tif 000006
【図５】
2004227271.tif 000007
【図６】
2004227271.tif 000008
【図７】
2004227271.tif 000009